(57)【要約】  シガレットの硬質パケット（１）は、一群のシガレットと、６つの面を有する多面体の形態を呈し、一群のシガレットを収納する外側容器（２）と、を備える。それら６つの面は、互いに対向する平行な頂壁（７）及び底壁（８）と、頂壁（７）及び底壁（８）に垂直であり、長手方向に延在して頂壁（７）の縁部を底壁（８）の対応する縁部に接続する４つの側壁（９．１０，１１）と、から成る。頂壁（７）は台形状であり、底壁（８）は矩形状であり、頂壁（７）及び底壁（８）と平行な外側容器（２）の断面は、長手方向において連続的に変化して、頂壁（７）の台形体を底壁（８）の矩形体に接続する。
2015508046.tif 000002
【特許請求の範囲】
【請求項１】
シガレット又は同様の物品の硬質パケット（１）であって、
内側包装（３）に包装された一群のシガレットと、
互いに対向する平行な頂壁（７）及び底壁（８）と、前記頂壁（７）及び前記底壁（８）に垂直であり、長手方向に延在して前記頂壁（７）の縁部を前記底壁（８）の対応する縁部に接続する４つの側壁（９．１０，１１）と、から成る６つの面を有する多面体の形態を呈し、前記一群のシガレットを収納する外側容器（２）と、を備え、
前記頂壁（７）が台形状であり、
前記底壁（８）が矩形状であり、
前記頂壁（７）及び前記底壁（８）と平行な前記外側容器（２）の断面が、長手方向において連続的に変化して、前記頂壁（７）の台形体を前記底壁（８）の矩形体に接続することを特徴とするシガレットのパケット（１）。
【請求項２】
前記頂壁（７）及び底壁（８）と平行な前記外側容器（２）の断面が、どの位置でも同じ周長を有する、請求項１に記載のシガレットのパケット（１）。
【請求項３】
前記４つの側壁（９，１０，１１）どうしの間に、長手方向に延びる４つの縁部（１２）が形成され、前記４つの縁部（１２）の各々の全長に沿った形状及び寸法が不変である、請求項１または２に記載のシガレットのパケット（１）。
【請求項４】
前記外側容器（２）が、前壁（９）及び後壁（１０）を有し、
前記前壁（９）及び前記後壁（１０）の一方が、台形状の前記頂壁（７）の長い底辺を、矩形状の前記底壁（８）の長辺に接続し、
前記前壁（９）及び前記後壁（１０）の他方が、台形状の前記頂壁（７）の短い底辺を、矩形状の前記底壁（８）の短辺に接続する、請求項３に記載のシガレットのパケット（１）。
【請求項５】
前記外側容器（２）が、２つの小さい側壁（１１）を有し、
前記２つの小さい側壁（１１）の各々が、台形状の前記頂壁（７）斜辺を、矩形状の前記底壁（８）の短辺に接続する、請求項３または４に記載のシガレットのパケット（１）。
【請求項６】
前記頂壁（７）の台形体の底辺が、前記底壁（８）の矩形体の長辺と平行である、請求項１〜５のいずれか１つに記載のシガレットのパケット（１）。
【請求項７】
前記頂壁（７）の台形体が、等脚台形である、請求項１〜６のいずれか１つに記載のシガレットのパケット（１）。
【請求項８】
前記底壁（８）の矩形体が、概ね正方形である、請求項１〜７のいずれか１つに記載のシガレットのパケット（１）。
【請求項９】
内側包装体（３）に包装された前記一群のシガレットの断面が、前記底壁（８）に隣接する前記外側容器（２）の断面と同じ形状及び寸法である、請求項１〜８のいずれか１つに記載のシガレットのパケット（１）。
【発明の詳細な説明】
【技術分野】
【０００１】
本発明は、シガレットの硬質パケットに関する。
以下の詳細な説明では、簡略化のために、ヒンジ蓋付きのシガレットの硬質パケットが単なる非限定的な例として参照される。
【背景技術】
【０００２】
シガレット（シガー、シガリロ、又は同様の物品）のヒンジ蓋付きの硬質パケットは、カップ形状の外側容器と、外側容器にヒンジ留めされて開放位置と閉鎖位置との間を移動可能な蓋と、を備える。外側容器は、ホイルに包まれた一群のシガレットから構成される内部パッケージを収納する小部屋を形成している。外側容器は内部パッケージ（すなわち、一群のシガレット）の寸法に従って寸法決めされるので、シガレットのパケットが製造工場と最終使用者との間で繰り返し輸送され取り扱われる際に、一群のシガレットが外側容器の壁部どうしの間で強固に把持されるとともに、一群のシガレットが外側容器に対して移動することが防止されるか、又は場合によって隣接するシガレットどうしが互いに対して移動することが防止される。シガレットが外側容器の内側で部分的に移動するだけで、タバコ葉が先端部（すなわち、フィルタの反対側の端部）から流出するか、又はシガレットが折れるか若しくは破れるという結果を招来しうるので、同じ群のシガレットは外側容器の内側で所定の位置に維持される必要がある。
【０００３】
他方、上記のタイプのシガレットのパケットは、特にパケットが満杯であるときに（すなわち、パケットが最初に開けられる際に）シガレットの容易な取り出しを可能にするものである必要もある。一群のシガレットが外側容器の内側で緩く収容されるようにするパケットの必要性は、上述したように一群のシガレットを所定の位置に強固に保持する必要があることと明らかに相反する。
【０００４】
事実、公知であるヒンジ蓋付きのシガレットの硬質パケットは、上記の２つの要求のトレードオフ、すなわち、輸送及び取り扱いの間にシガレットが移動しないように一群のシガレットを外側容器の内側で強固に把持する必要があること、及び最初の数本のシガレットが過度の困難を伴わずに取り出し可能になるように同じ群のシガレットどうしの間に或る程度のゆとりを持たせる必要があることのトレードオフを表すものである。
【０００５】
特許文献１には、全長に沿って一定の（すなわち、常に同一の）台形断面を有する、ヒンジ蓋付きのシガレットの硬質パケットが記載されている。しかし、このシガレットのパケットも、上記の２つの要求のトレードオフ、すなわち、輸送及び取り扱いの間にシガレットが移動しないように一群のシガレットを外側容器の内側で強固に把持する必要があること、及び最初の数本のシガレットが過度の困難を伴わずに取り出し可能になるように同じ群のシガレットどうしの間に或る程度のゆとりを持たせる必要があることのトレードオフを表すものである。
【０００６】
この問題を解決するために、特許文献２には、外側容器が互いに垂直な３本の主軸を有するようにされたヒンジ蓋付きのシガレットの硬質パケットが提案されている。外側容器は、各々が３本の主軸のうちの２本と平行である多数の主壁によって境界決めされ、かつ少なくとも２つの主壁どうしの間に配置されて３本の主軸の各々とゼロ以外の所定の角度を形成する少なくとも１つの接続壁によって境界決めされており、その結果、パケットの断面が主軸の各々に沿って変化するようになっている。しかし、特許文献２に記載のシガレットのパケットは、標準的な（業務用の）包装機において製造するのが非常に面倒なので、同等の標準的な包装機よりも遥かに高価である特製の機械を必要とする。
【先行技術文献】
【特許文献】
【０００７】
【特許文献１】ドイツ実用新案第２０２０１０００２０９６号明細書
【特許文献２】欧州特許第０９３０２４５号明細書
【発明の概要】
【発明が解決しようとする課題】
【０００８】
本発明の目的は、上記の欠点を解消するように構成されるのに加えて、安価かつ製造が容易であるシガレットの硬質パケットを提供することである。
【課題を解決するための手段】
【０００９】
本発明によれば、添付した特許請求の範囲に記載されるシガレットの硬質パケットが提供される。
【図面の簡単な説明】
【００１０】
【図１】本発明に係るヒンジ蓋付きのシガレットの硬質パケットの閉鎖形態における前面を示す斜視図である。
【図２】閉鎖形態における図１のシガレットのパケットの後面を示す斜視図である。
【図３】開放形態における図１のシガレットのパケットの前面を示す斜視図である。
【図４】図１のシガレットのパケットの断面図である。
【図５】内部パッケージの周囲で折られて図１のシガレットのパケットを形成する未加工材の展開図である。
【図６】図１のシガレットのパケットのカラーの展開図である。
【発明を実施するための形態】
【００１１】
図１、図２、及び図３における符号１は、シガレットの硬質パケットの全体を示している。シガレットのパケット１は、ボール紙製の外側容器２と、外側容器２の内側に収納される内側包装３と、を備えており、一群のシガレット（図４に断面で示される）を封入しており、そして、シガレット２３を取り出すための上前部の開口を有している。同じ群のシガレット２３は、合計２０本のシガレットを構成する６本−７本−７本のシガレットから成る３つの列に配列されうる。
【００１２】
外側容器２は、上部の開放端４と、上部の開放端４が開放される開放位置（図３）及び上部の開放端４が閉鎖される閉鎖位置（図１及び図２）の間で外側容器２に対して回転するようにヒンジ部６に沿って外側容器２にヒンジ留めされたカップ形状の蓋５と、を備えている。
【００１３】
蓋５が閉鎖位置に在るときに、外側容器２は、３つの対向する対を成す６つの面を備えた多面体の形態を呈するようになる。より具体的に、外側容器２は、互いに対向する平行な頂壁７及び底壁８から構成される２つの端壁と、頂壁７及び底壁８に垂直であり、長手方向に延在して頂壁７の縁部を底壁８の対応する縁部に接続する４つの側壁９，１０，１１と、を有している。４つの側壁９，１０，１１は、２つの対向する平行かつ大型の（つまり、大きい方の）側壁９，１０と、２つの対向する非平行かつ小型の（つまり、小さい方の）側壁１１と、から構成されている。より具体的には、大型の側壁９が外側容器２の前壁９を形成しており、大型の側壁１０が外側容器２の後壁１０を形成している。２つの小型の側壁１１のそれぞれと、前壁９及び後壁１０と、の間には、長手方向に延びる４つの縁部１２が形成されており、頂壁７と、前壁９、後壁１０、及び小型の側壁１１との間、並びに底壁８と、前壁９、後壁１０、及び小型の側壁１１との間には、横断方向に延びる８つの縁部１３が形成されている。
【００１４】
図３及び図６に示されるように、パケット１は、Ｕ字形状を有する硬質の（すなわち、硬質のボール紙製の）カラー１４をさらに備えており、カラー１４は、上部の開放端から部分的に外向きに突き出し、かつ蓋５が閉鎖されるときに蓋５の対応する内表面に係合するように、外側容器２の内側に挿入されて外側容器２に接着されている。カラー１４は、外側容器２の前壁９に接触するように位置決めされた前壁１５と、前壁１５の両側に配置され、かつ外側容器２の小型の側壁１１に接触するように位置決めされた２つの側壁１６と、を備えている。好ましい実施形態において、カラー１４は、蓋５の側壁に衝突して係合することで蓋５を閉鎖位置において保持するように前壁１５から側方に突き出した２つの突起１７を有している。
【００１５】
図１及び図２に示されるように、頂壁７は台形状であり、より具体的には、等脚台形（の形態を呈している（幾何学的に、等脚台形とは、それぞれ長い底辺及び短い底辺として知られる２本の平行の辺と、傾斜した２本の合同の辺と、を有しており、各底辺の２つの隣接角が等しくかつ合同である四辺形と定義される）。底壁８は、頂壁７の台形体と同じ周長（ｐｅｒｉｍｅｔｅｒ）を有する矩形状である（幾何学的に、矩形とは、等しい対辺と、直交する隣接辺と、を有する四辺形と定義される。正方形は４本の辺が等しい特別な形態の矩形である）。図面に示されるシガレットのパケット１の実施形態において、頂壁７の台形体の底辺は、底壁８の矩形体の対応する長辺と平行である。
【００１６】
頂壁７及び底壁８と平行な外側容器２の断面は、頂壁７の台形体が底壁８の矩形体に接続されるように長手方向（すなわち、シガレットのパケット１の多面体の縦方向）において連続的に変化しており、その結果、長手方向に延びる各々の縁部１２は、その全長に沿って不変の形状及び寸法を有している。一般的に言えば、外側容器２のどの断面も常に凸状の四辺形の形態を呈している。
【００１７】
図４は、頂壁７及び底壁８と平行でありかつ底壁８に近接するシガレットのパケット１の断面を示しており、図中の符号７ａは、その断面の平面における頂壁７の投影像を指しており、図中の符号８ａは、同じ断面の平面における底壁８の投影像を指している。底壁８に近接する断面（すなわち、シガレットのパケット１の基部に隣接する断面）は、やはり概ね矩形状であるので、内側包装体３における同群のシガレット２３を密集状態に、すなわち、正しい位置において強固に保持された状態に保つことができる。
【００１８】
シガレットのパケット１の好ましい実施形態において、未変形の（すなわち、一切変形されていない）一群のシガレットの断面は、底壁８に隣接する外側容器２の断面と同じ形状及び寸法である。従って、底壁８では、一群のシガレットは如何なる種類の変形も受けないものの、残りの全ての平行断面では、一群のシガレットは僅かに変形させられる（すなわち、内側包装体３におけるシガレット２３が当初の未変形状態に対して僅かに移動させられる）。ただし、これによりシガレット２３に悪影響が及ぶことはない。換言すると、同等の標準的な（すなわち、直方体形状を有する）シガレットの硬質パケットの外側容器２は、底壁８において外側容器２と同じ断面を有することになる。
【００１９】
シガレットのパケット１の好ましい実施形態においては、考慮されるシガレットのパケット１の断面によらずに、シガレット２３には圧縮力が一切加わらない。その理由は、一群のシガレットが、（合計２０本のシガレットを構成する）６本−７本−７本のシガレット２３から成る３つの列に配列されるからであり、かつ６本のシガレット２３から構成される列が、頂壁７の台形体の短い底辺に対向するように位置決めされるからである（図４）。
【００２０】
一群のシガレットは、（シガレットの自動販売機で使用されるフォーマットである合計２１本のシガレットを構成する）６本−７本−８本のシガレット２３から成る３つの列に配列されてもよいし、（小直径の「スリム」型シガレットに特に適したフォーマットである合計２０本のシガレットを構成する）９本−１１本のシガレット２３から成る２つの列に配列されてもよいし、（正方形断面のパケットに梱包されうる「スーパースリム」型シガレットに適したフォーマットである合計２０本のシガレットを構成する）４本−５本−５本−６本のシガレット２３から成る４つの列に配列されていてもよい。
【００２１】
台形状の頂壁７が長い底辺を前壁９において有し、かつ短い底辺を後壁１０において有するようにされた、鏡面反射による外側容器２の他の実施形態は、外側容器２の好ましい実施形態と完全に同等である。
【００２２】
図面に示される実施形態において、小型の側壁１１の各々は、ねじれ部（ｔｗｉｓｔ）を有しており、より具体的には、湾曲した部分的な螺旋形状部を有している。
【００２３】
添付図面に示されるように、頂壁７及び底壁８と平行な外側容器２のどの断面も、同じ周長を有している（すなわち、外側容器２の側面が平面図において矩形であるために、外側容器２の断面の周長が不変になる）。このことは、外側容器２をプラスチック製（例えば、セロファン製又はポリプロピレン製）の矩形状の上包みで容易に包装して外観的に優れた結果物（すなわち、プラスチック製の上包みにおける見苦しいヒダ（ｃｒｅａｓｅ）を有さない結果物）を得ることが可能になるという点で重要な特性である。
【００２４】
図５に示されるように、外側容器２は、平坦であり実質的に細長い矩形状である未加工材１８から形成されている。未加工材１８は、２本の長手方向の折り目１９と、多数の横断方向の折り目２０と、を有しており、それら横断方向の折り目２０は、長手方向の折り目１９どうしの間で、外側容器２の前壁９の一部（特に、蓋５の一部を形成する前壁９の部分）を形成するパネル９’と、外側容器２の頂壁７を形成するパネル７’と、外側容器２の後壁１０を形成するパネル１０’と、外側容器２の底壁８を形成するパネル８’と、外側容器２の前壁９の残りの部分を形成するパネル９”と、を形成している。パネル９’は、横断方向の折り目２０に沿ってフラップ部２１に接続されており、フラップ部２１は、１８０°折られてパネル９’の内表面に接着されることによって蓋５を局部的に補強するようになっている。
【００２５】
パネル１０’は２つの翼状部１１’を有しており、それら翼状部１１’は、パネル１０’の両側に配置され、長手方向の折り目１９によってパネル１０’から区別され、かつ、外側容器２の２つの小型の側壁１１のそれぞれの内側部分を形成している。パネル９”は２つの翼状部１１”を有しており、それら翼状部１１”は、パネル９”の両側に配置され、長手方向の折り目１９によってパネル９”から区別され、かつ、外側容器２の２つの小型の側壁１１のそれぞれの外側部分を形成している。パネル９’は２つの翼状部１１”’を有しており、それら翼状部１１”’は、パネル９’の両側に配置され、長手方向の折り目１９によってパネル９’から区別され、かつ、外側容器２の２つの小型の側壁１１のそれぞれの更なる外側部分を形成している。
【００２６】
各々の翼状部１１’は２つのタブ部２２を有しており、それらタブ部２２は翼状部１１’の両端部に配置され、２本の横断方向の折り目２０によって翼状部１１’から区別され、かつ、パネル７’の内表面及びパネル８’の内表面のそれぞれに接触するように９０°だけ折られる。
【００２７】
図１〜図３の実施形態では、縁部１２及び縁部１３の全てが鋭利にされるものの、他の実施形態では、縁部１２及び縁部１３の幾つかが面取りされ又は丸み付けされうる。
【００２８】
図示しない他の実施形態において、シガレットのパケット１は、横断方向に滑動して開くようになっており、外側容器２の内側に挿入される、外側容器２から部分的に分離可能な硬質の内側容器を備えている。換言すると、シガレットのパケット１は、一群のシガレットを収納するとともにそれ自体が外側容器２の内側に収納される硬質の内側容器を備えており、内側容器は、内側容器が外側容器２の内側に挿入される閉鎖位置と、内側容器が外側容器２から部分的に取り出される開放位置と、の間で外側容器２に対して滑動するようになっている。この実施形態において、外側容器２は蓋５を有しておらず、小型の側壁１１の１つは、滑動する内側容器と通過させる開口に置き換えられる。内側容器は、外側容器２に対して並進運動することで外側容器２に対して滑動してもよいし、２つの容器を接続するヒンジを中心に外側容器２に対して回転運動することで外側容器２に対して滑動してもよい。通常、内側容器は外側容器２と同じ形状であるものの（当然ながら、外側容器２の内側に収まるように僅かに小さくされる）、内側容器は外側容器２とは異なる形状であってもよい。
【００２９】
本明細書に記載されたシガレットのパケット１は、数多くの利点を有している。
先ず、本明細書に記載されたシガレットのパケット１の外側容器２の内側では、一群のシガレットが基部において十分に強固に把持されるので、シガレットのパケット１が輸送され取り扱われる際にシガレット２３が感知できる程度に移動するのを（及びそれにより損傷するのを）防止することができる。
【００３０】
同時に、上部の開放端４では、同じ群のシガレット２３に或る程度のゆとりを持たせることができるので、特に、シガレットのパケット１が満杯であり（すなわち、最初に開けられた状態であり）かつ最初のシガレット２３が外側容器２の上部の開放端４から取り出される際に、それらシガレット２３をシガレットのパケット１の外側容器２から容易に取り出すことができる。
【００３１】
頂壁７及び底壁８に平行な断面が長手方向において連続的に変化するものの、その断面が常に同一の周長を有して矩形を等脚台形に接続するようにされた外側容器２の特別かつ革新的な形状によって、３つの相反する要求（輸送及び取り扱いの間にシガレット２３が移動するのを防止するために一群のシガレットを外側容器２の内側で強固に把持すること、同じ群の最初のシガレット２３を軸線方向に容易に取り出すこと、及びシガレット２３が横方向に圧縮されるのを防止すること）の間で、このような良好な折衷が達成される。
【００３２】
さらに、外側容器２の未加工材が従来の未加工材と大体同じ形状であることから、本明細書に記載のシガレットのパケット１を標準的な（業務用の）包装機を用いて製造することさえ可能であるので、本明細書に記載のシガレットのパケット１は安価かつ製造が容易である。
【図１】
2015508046.tif 000003
【図２】
2015508046.tif 000004
【図３】
2015508046.tif 000005
【図４】
2015508046.tif 000006
【図５】
2015508046.tif 000007
【図６】
2015508046.tif 000008
【国際調査報告】
2015508046.tif 000009
2015508046.tif 000010